(57)【要約】【課題】  本発明はトレーラーに対して、荷箱を用意に積み降ろしすることを可能にするものである。【解決手段】  荷箱の四角に脱着可能な任意の高さに固定出きる支柱を設けて設置しておき、前方にジャッキを設けたトレーラーをその下に挿入し、まずトレーラーのジャッキを上げることによりトレーラーの荷台が荷箱を押し上げ前方の支柱を浮かせて取り外し、次にトレーラーのジャッキ下げることによりタイヤを支点としてトレーラーの荷台後側が上がり荷箱の後側を押し上げることとなり荷箱後方の支柱を取り外すことが出来ることにより、簡単にトレーラーに荷箱を積降ろし出来ることを特徴としたトレーラーと荷箱。【選択図】図４
2009184654.tif 000002
【特許請求の範囲】
【請求項１】
荷箱の四角に脱着可能な任意の高さに固定出来る支柱を設けて設置しておき、前方にジャッキを設けたトレーラーをその下に挿入し、まずトレーラーのジャッキを上げることによりトレーラーの荷台が荷箱を押し上げ前方の支柱を浮かせて取り外し、次にトレーラーのジャッキ下げることによりタイヤを支点としてトレーラーの荷台後側が上がり荷箱の後側を押し上げることとなり荷箱後方の支柱を取り外すことが出来ることにより、簡単にトレーラーに荷箱を積降ろし出来ることを特徴としたトレーラーと荷箱。
【発明の詳細な説明】
【技術分野】
【０００１】  本発明は小型トレーラーにおいて容易に荷箱を積降ろしすることが出来る仕組みに関するものである
【背景技術】
【０００２】  小型キャンピングトレーラーが多く見られるが、キャンピングトレーラーとして使用する日数は限られており、またキャンピングトレーラーには法規上荷物を積載して公道を走行することは出来ない。
【発明の開示】
【発明が解決しようとする課題】
【０００３】  この問題を解決するために貨物トレーラーの上にキャンピングカーとしての機能を持った荷箱を設けこれを容易に脱着することが出来ればトレーラーを多用途に使用することが出来るようになる。【０００４】  上記ではキャンピングトレーラーとしての応用例を述べたが、これに限らず様様な形態の荷箱を容易に載せ替えることが出来るので産業上の利用範囲は広い。
【課題を解決するための手段】
【０００５】  荷箱の四角に脱着可能な任意の高さに固定出来る支柱を設けて設置しておき、前方にジャッキを設けたトレーラーをその下に挿入し、まずトレーラーのジャッキを上げることによりトレーラーの荷台が荷箱を押し上げ、前方の支柱を浮かせて取り外し、次にトレーラーのジャッキを下げることにより、タイヤを支点としてトレーラーの荷台後側が上がり、荷箱の後側を押し上げることとなり、荷箱後方の支柱を取り外すことが出来ることにより、簡単にトレーラーに荷箱を積降ろし出来ることを特徴としたトレーラーと荷箱。【０００６】  荷箱をトレーラーから降ろす場合は、この一連の動作の逆を行えば良い。
【発明の効果】
【０００７】  上述のように、容易に荷箱を荷台から脱着出来るので従来より、はるかに多用途に使うことが可能になる。
【実施例】
【０００８】  以下本発明の実施の形態を図面を参照にしながら説明するが、本発明が図示のものに限られるわけではないことは勿論である。【０００９】  図１は本発明を実施した状態の、後ろから見た図でありトレーラー１の両側にタイヤ２が設けられている。荷箱３の両側には図では重なって見えるが脱着可能な荷箱前側支柱４と荷箱後側支柱５が設けられている。【００１０】  図２はトレーラー１の前方にジャッキ６が取り付けられた状態の側面図でジャッキ６には一般に知られているように、その地面と接するところにはキャスターが設けられトレーラーが移動出来る様になっている。【００１１】  図３は前側支柱４と後側支柱５で支持された荷箱３の下側にトレーラー１を矢符イの方向に挿入しかかった状態を示す側面図である。この時トレーラー１の上面と荷箱３の底面はわずかに隙間がある状態に設定されている。【００１２】  図４は前側支柱４を外す状態を示す側面図である。いま荷箱３の下側にトレーラー１を挿入した状態でジャッキ６を上げていくと、その力によりトレーラー１はタイヤ２を支点として傾き、そのことにより前側支柱４を浮かすことが出来る。この状態では容易に前側支柱４を取外すことが出来る。【００１３】  図５は後側支柱を取外す状態を示す側面図である。いまジャッキ６を下げていくとタイヤ２を支点にしてトレーラー１は前方に傾き後側支柱５を浮かせることが出来る。この状態であれば容易に後側支柱を取外すことが出来る。【００１４】  図６は支柱４、５を取外し水平状態を示す側面図であると共に走行状態でもある。荷箱３をトレーラー１から降ろすには上記説明と逆の動作をすれば容易にトレーラー１から荷箱３を降ろすことが可能である。
【符号の説明】
【００１５】１はトレーラー
２はタイヤ
３は荷箱
４は前側支柱
５は後側支柱
６はジャッキ
【図１】
2009184654.tif 000003
【図２】
2009184654.tif 000004
【図３】
2009184654.tif 000005
【図４】
2009184654.tif 000006
【図５】
2009184654.tif 000007
【図６】
2009184654.tif 000008
【手続補正書】
【提出日】平成20年4月25日(2008.4.25)
【手続補正１】
【補正対象書類名】明細書
【補正対象項目名】全文
【補正方法】変更
【補正の内容】
【発明の詳細な説明】
【技術分野】
【０００１】
本発明は小型トレーラーにおいて容易に荷箱を積降ろしすることが出来る仕組みに関するものである
【背景技術】
【０００２】
小型キャンピングトレーラーが多く見られるが、キャンピングトレーラーとして使用する日数は限られており、またキャンピングトレーラーには法規上荷物を積載して公道を走行することは出来ない。
【発明の開示】
【発明が解決しようとする課題】
【０００３】
この問題を解決するために貨物トレーラーの上にキャンピングカーとしての機能を持った荷箱を設けこれを容易に脱着することが出来ればトレーラーを多用途に使用することが出来るようになる。
【０００４】
上記ではキャンピングトレーラーとしての応用例を述べたが、これに限らず様様な形態の荷箱を容易に載せ替えることが出来るので産業上の利用範囲は広い。
【課題を解決するための手段】
【０００５】
荷箱の四角に脱着可能な任意の高さに固定出来る支柱を設けて設置しておき、前方にジャッキを設けたトレーラーをその下に挿入し、まずトレーラーのジャッキを上げることによりトレーラーの荷台が荷箱を押し上げ、前方の支柱を浮かせて取り外し、次にトレーラーのジャッキを下げることにより、タイヤを支点としてトレーラーの荷台後側が上がり、荷箱の後側を押し上げることとなり、荷箱後方の支柱を取り外すことが出来ることにより、簡単にトレーラーに荷箱を積降ろし出来ることを特徴としたトレーラーと荷箱。
【０００６】
荷箱をトレーラーから降ろす場合は、この一連の動作の逆を行えば良い。
【発明の効果】
【０００７】
上述のように、容易に荷箱を荷台から脱着出来るので従来より、はるかに多用途に使うことが可能になる。  
【実施例】
【０００８】
以下本発明の実施の形態を図面を参照にしながら説明するが、本発明が図示のものに限られるわけではないことは勿論である。
【０００９】
図１は本発明を実施した状態の、後ろから見た図でありトレーラー１の両側にタイヤ２が設けられている。荷箱３の両側には図では重なって見えるが脱着可能な荷箱前側支柱４と荷箱後側支柱５が設けられている。
【００１０】
図２はトレーラー１の前方にジャッキ６が取り付けられた状態の側面図でジャッキ６には一般に知られているように、その地面と接するところにはキャスターが設けられトレーラーが移動出来る様になっている。
【００１１】
図３は前側支柱４と後側支柱５で支持された荷箱３の下側にトレーラー１を矢符イの方向に挿入しかかった状態を示す側面図である。この時トレーラー１の上面と荷箱３の底面はわずかに隙間がある状態に設定されている。
【００１２】
図４は前側支柱４を外す状態を示す側面図である。いま荷箱３の下側にトレーラー１を挿入した状態でジャッキ６を上げていくと、その力によりトレーラー１はタイヤ２を支点として傾き、そのことにより前側支柱４を浮かすことが出来る。この状態では容易に前側支柱４を取外すことが出来る。
【００１３】
図５は後側支柱を取外す状態を示す側面図である。いまジャッキ６を下げていくとタイヤ２を支点にしてトレーラー１は前方に傾き後側支柱５を浮かせることが出来る。
この状態であれば容易に後側支柱を取外すことが出来る。
【００１４】
図６は支柱４、５を取外し水平状態を示す側面図であると共に走行状態でもある。
荷箱３をトレーラー１から降ろすには上記説明と逆の動作をすれば容易にトレーラー１から荷箱３を降ろすことが可能である。
【図面の簡単な説明】
【００１５】
【図１】本発明の実施状態を示す正面図
【図２】トレーラーと荷箱を分離した状態を示す側面図
【図３】トレーラーを荷箱の下に挿入する状態を示す側面図
【図４】荷箱の前側支柱を取り外す状態を示す側面図
【図５】荷箱の後側支柱を取り外す状態を示す側面図
【図６】トレーラーに荷箱を装着した状態を表す側面図
【符号の説明】
【００１６】
１はトレーラー
２はタイヤ
３は荷箱
４は前側支柱
５は後側支柱
６はジャッキ